(57)【要約】  本発明の目的は、ウェブサイトの閲覧中にユーザがウェブサイト内の語句を用いてウェブ検索を行いたい場合に、簡単な操作でウェブ検索を行うことができる携帯端末を提供することである。  本発明は、閲覧中のウェブページのデータに含まれる語句を抽出する抽出手段（Ｓ１０３）と、抽出された語句を検索語句として検索サイトに対して検索要求を送信するとともに、この検索サイトから前記検索語句が含まれるウェブページのリストを検索結果として受信する受信手段（Ｓ１０９）と、受信された検索結果を表示する表示手段（Ｓ１１１）と、を備えた。
2010134363.tif 000002
【特許請求の範囲】
【請求項１】
閲覧中のウェブページのデータに含まれる語句を抽出する抽出手段と、
前記抽出手段により抽出された語句を検索語句として検索サイトに対して検索要求を送信するとともに、この検索サイトから前記検索語句が含まれるウェブページのリストを検索結果として受信する受信手段と、
前記受信手段により受信された検索結果を表示する表示手段と、
を備えたことを特徴とする携帯端末。
【請求項２】
複数の検索サイトからいずれかを選択するための入力を受け付ける受付手段を備え、
前記受信手段は、前記受付手段により受け付けられた検索サイトに対して検索要求を送信することを特徴とする請求項１記載の携帯端末。
【請求項３】
前記抽出手段により抽出された語句からいずれかを選択するための入力を受け付ける受付手段を備え、
前記受信手段は、前記受付手段により受け付けられた語句を検索語句として検索サイトに対して検索要求を送信することを特徴とする請求項１記載の携帯端末。
【請求項４】
前記表示手段により表示された検索結果から、いずれかのウェブページを選択するための入力を受け付ける受付手段を備え、
前記表示手段は、前記受付手段により入力が受け付けられた場合、選択されたウェブページに関するデータを取得して表示することを特徴とする請求項１に記載の携帯端末。
【請求項５】
いずれかの検索サイトを設定する設定手段を備え、
前記受信手段は、前記設定手段により設定された検索サイトに対して検索要求を送信することを特徴とする請求項１記載の携帯端末。
【請求項６】
前記抽出手段により抽出された語句を拡張する拡張手段を備え、
前記受信手段は、前記拡張手段により拡張された語句を検索語句として検索サイトに対して検索要求を送信することを特徴とする請求項１記載の携帯端末。
【請求項７】
前記受信手段は、複数の検索サイトに対して検索要求を送信して、これら複数の検索サイトから検索結果を受信することを特徴とする請求項１記載の携帯端末。
【発明の詳細な説明】
【技術分野】
【０００１】
本発明は、ウェブページを閲覧することができる携帯端末に係り、具体的には、閲覧中のウェブページに含まれる語句を用いて簡単にウェブ検索を行うことができる携帯端末に関する。
【背景技術】
【０００２】
近年、通信技術が発展して通信ネットワークのインフラが整備されたことで携帯電話機などの携帯端末においてデータ通信がスムーズに行えるようになってきた。そして、これに伴い、携帯端末によるウェブサイトの閲覧が頻繁に行われるようになってきた。しかしながら、ユーザが、携帯端末にてウェブページを閲覧している最中に、このウェブページに含まれている語句を用いてウェブ検索を行おうとした場合、ユーザにとって面倒な作業が発生してしまっていた。すなわち、ＰＣ（Ｐｅｒｓｏｎａｌ  Ｃｏｍｐｕｔｅｒ）などの操作性に制限の少ない装置では、ユーザは多機能なブラウザによって簡単にウェブ検索を行うことができるが、携帯端末では搭載される機能に制限があるため、携帯端末でウェブ検索を行うためにはユーザが一つ一つの操作を順次行っていく必要があって手間がかかる上に、ユーザの所望の検索結果が得られない可能性もあった。【０００３】
そこで、例えば、容易に目的のウェブページにアクセスできるウェブページ検索システムが提案されている（特開２００１−２２９１９８号公報参照）。このウェブページ検索システムは、サーバにキーワード部とアドレス部とからなる情報データを複数記憶させ、キーワード部に各々重複しないキーワードを記憶させ、広告には検索エンジンの名称とキーワードを掲載し、検索エンジンにそのキーワードを入力して検索すると、検索エンジンは該当する情報レコードを検索し、その情報レコードのアドレス部に記憶されているアドレスのウェブページの内容をディスプレイに表示するものである。【０００４】
従来、ユーザが携帯端末でウェブ検索を行おうとした場合、検索対象の語句が閲覧中のウェブページに含まれていたとしても、そのウェブページから直接その語句を用いてウェブ検索を開始することができず、別途検索サイトを表示させて検索語句の入力欄に語句を入力したりコピーペーストしたりする必要があった。この作業はユーザにとって大きな負荷となっていた。【０００５】
発明の開示
本発明は、上記課題を鑑みてなされたものであり、ウェブサイトの閲覧中にユーザがウェブサイト内の語句を用いてウェブ検索を行いたい場合に、簡単な操作でウェブ検索を行うことができる携帯端末を提供することを目的とする。【０００６】
本発明に係る携帯端末は、閲覧中のウェブページのデータに含まれる語句を抽出する抽出手段と、前記抽出手段により抽出された語句を検索語句として検索サイトに対して検索要求を送信するとともに、この検索サイトから前記検索語句が含まれるウェブページのリストを検索結果として受信する受信手段と、前記受信手段により受信された検索結果を表示する表示手段と、を備えたことを特徴とする。【０００７】
本発明に係る携帯端末によると、ウェブサイトの閲覧中にユーザがウェブサイト内の語句を用いてウェブ検索を行いたい場合に、簡単な操作でウェブ検索を行うことが可能となる。
【図面の簡単な説明】
【０００８】
【図１】本発明に係る携帯端末（携帯電話機）が適用されるネットワークシステムを示す斜視図。
【図２】本発明に係る携帯端末（携帯電話機）を示す斜視図。
【図３】本発明に係る携帯端末（携帯電話機）の機能を示すブロック図。
【図４】（Ａ）は、本発明に係る携帯端末（携帯電話機）においてウェブページを閲覧する際の閲覧画面の一例を示す画面図、（Ｂ）は、（Ａ）のウェブページに基づいて検索を行った際の検索結果画面の一例を示す画面図。
【図５】第１実施形態の携帯端末（携帯電話機）がウェブ検索処理を行う際の手順を示すシーケンス図。
【図６】（Ａ）乃至（Ｅ）は、第１実施形態の携帯端末（携帯電話機）がウェブ検索処理を行う際の画面遷移図。
【図７】第２実施形態の携帯端末（携帯電話機）がウェブ検索処理を行う際の手順を示すシーケンス図。
【図８】（Ａ）乃至（Ｄ）は、第２実施形態の携帯端末（携帯電話機）がウェブ検索処理を行う際の画面遷移図。
【図９】第３実施形態の携帯端末（携帯電話機）がウェブ検索処理を行う際の手順を示すシーケンス図。
【図１０】（Ａ）乃至（Ｄ）は、第３実施形態の携帯端末（携帯電話機）がウェブ検索処理を行う際の画面遷移図。
【図１１】第４実施形態の携帯端末（携帯電話機）がウェブ検索処理を行う際の手順を示すシーケンス図。
【図１２】（Ａ）乃至（Ｃ）は、第４実施形態の携帯端末（携帯電話機）がウェブ検索処理を行う際の画面遷移図。
【発明を実施するための最良の形態】
【０００９】
〔第１実施形態〕
本発明に係る携帯端末の第１実施形態について、添付図面を参照しながら説明する。第１実施形態の携帯端末として、ユーザの指などの接触を検知することでデータを入力するディスプレイを備え、このディスプレイを介した入力に基づいてウェブページを閲覧する機能を備えた携帯電話機１を例に挙げて説明する。【００１０】
図１は、携帯電話機１が適用されるネットワークシステム１００を示す構成図である。ネットワークシステム１００は、図１に示すように、少なくとも、携帯電話機１、コンテンツサーバ２、第１の関心方向性検索サーバ３、第２の関心方向性検索サーバ４、関心ワード拡張＆問合せサーバ５、基地局６、及びネットワーク７を備えている。【００１１】
コンテンツサーバ２は、多数のウェブページのページデータ（コンテンツ）を記憶していて、クライアント（携帯電話機１など）からの送信要求に応じてページデータを抽出してクライアントに提供する。コンテンツサーバ２は、例えば、クライアントからページデータが格納されているアドレスを指定されることにより、このアドレスに格納されているページデータを抽出して、クライアントに提供する。【００１２】
第１の関心方向性検索サーバ３、第２の関心方向性検索サーバ４は、多数の語句とそれらの各々の検索語句を含むウェブページとをそれぞれ対応付けて記憶している。そして、これらの検索サーバは、クライアントから検索要求を受けた際に、検索要求と併せて受信した検索語句に対応するウェブページを抽出して、これらのウェブページに関するデータリストにしてクライアントに提供する。あるいは、第１の関心方向性検索サーバ３、第２の関心方向性検索サーバ４は、他の検索サーバと連携することで、他の検索サーバに対して検索を依頼し、この他のサーバから検索結果を取得してクライアントに提供するようにしても良い
なお、第１の関心方向性検索サーバ３、第２の関心方向性検索サーバ４などの検索サーバは、例えば検索語句が含まれているウェブページを検索するための一般的な検索サイトや、検索語句の意味や使用法を示すウェブページを検索するための辞書検索サイト、検索語句に関する商品をネット販売するためのウェブページを検索するための買い物専用検索サイト、検索語句に関する動画を提供する動画サイトを検索するための動画専用検索サイトなどを提供している。また、これらの検索サイトは、その他、多数のユーザが相互に情報を提供し合うコミュニティサイトであっても良い。【００１３】
関心ワード拡張＆問合せサーバ５は、携帯電話機１がウェブ検索を行う際に、携帯電話機１と検索サーバとの間のやり取りを仲介する。その際、関心ワード拡張＆問合せサーバ５は、携帯電話機１から検索語句を受信して、この検索語句を拡張したり関心方向性（検索要求の送信対象とする検索サーバ）を絞り込んだりしたうえで検索サーバに検索要求を送信し、検索サーバから検索結果を受信した際に、この検索結果を携帯電話機１に送信する。関心ワード拡張＆問合せサーバ５は、関心ワードを拡張する際、例えば、携帯電話機１のユーザの過去利用履歴やプロフィール情報、あるいは、そのときの社会情勢などを考慮して、受信した関心ワードに他の語句を付加したり関心方向性を絞り込んだりする。付加される語句や絞り込まれる関心方向性は、予めユーザにより設定されていると良い。【００１４】
基地局６は、ネットワークシステム１００の中の無線通信サービスの提供エリアを所望の大きさに分割したセル内にそれぞれ設置された固定無線局である。これらの基地局６には、移動無線局である携帯電話機１が例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式と呼ばれる符号分割多元接続方式によって無線接続されている。携帯電話機１は、最も近隣にある基地局６を介してネットワーク７に無線接続して、コンテンツサーバ２や第１の関心方向性検索サーバ３などと通信を行う。【００１５】
ネットワーク７は、例えば、携帯電話網や、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、その他の各種のネットワーク、あるいは、それらが複合的に接続されたネットワークである。携帯電話機１は、このネットワーク７を介して、コンテンツサーバ２や第１の関心方向性検索サーバ３などの様々なサーバに対して通信する。【００１６】
図２は、携帯電話機１を示す斜視図である。携帯電話機１は、図２に示すように、矩形の板状の筐体１０を備えている。筐体１０の表面には、データを表示するとともに接触によりデータを入力するタッチスクリーン１１、音声を出力するためのスピーカ１２、音声を入力するためのマイクロフォン１３、及び、押下されることにより指示を入力する複数の操作キー１４が設けられている。【００１７】
タッチスクリーン１１は、文字や画像等からなる表示データを表示する表示機能、及び、ユーザが指や専用のペンで画面に触れた際にこの接触位置を検知することにより指示を入力する入力機能の双方の機能を備えたディスプレイである。タッチスクリーン１１は、例えばディスプレイの上に、表面に接触を検知するための素子が複数配置され、さらにその上に透明なスクリーンが積層されることにより形成されている。タッチスクリーン１１の接触を感知する方法は、圧力の変化を感知する感圧式であっても、静電気による電気信号を感知する静電式であっても、その他の方法であっても良い。【００１８】
操作キー１４は、例えば、タッチスクリーン１１に表示されたカーソルを上下左右に移動させたり画面をスクロールさせたりするための方向キーや、電話発呼するための発呼キー、通話を終了するための終話キー、メール機能やＷｅｂ機能を起動するためのショートカットキーなどである。【００１９】
図３は、携帯電話機１の機能を示すブロック図である。携帯電話機１は、図３に示すように、主制御部２０、電源回路部２１、操作入力制御部２２、表示制御部２３、音声制御部２４、通信制御部２５、及び記憶部２６がバスによって相互に通信可能に接続されて構成されている。【００２０】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、後述するウェブ検索処理や、その他の様々な演算処理や制御処理などを行う。電源回路部２１は、電源供給源（バッテリ等）を備え、例えば所定の操作キー１４を介した入力に基づいて携帯電話機１の電源のＯＮ／ＯＦＦ状態を切り替え、電源がＯＮ状態の場合に電力供給源から各部に対して電力を供給して、携帯電話機１を動作可能にする。【００２１】
操作入力制御部２２はタッチスクリーン１１に対する入力インタフェースを備えていて、タッチスクリーン１１に接触があったことを検知すると、その接触があった位置を示す信号を生成して主制御部２０に伝送する。また、操作入力制御部２２は操作キー１４に対する入力インタフェースを備えていて、操作キー１４が押下されたことを検知すると、その押下されたキーを示す信号を生成して主制御部２０に伝送する。信号を受信した主制御部２０は、この信号に基づいて様々な処理を行う。表示制御部２３はタッチスクリーン１１に対する表示インタフェースを備え、主制御部２０の制御に基づいて、表示画面データを生成してタッチスクリーン１１に表示させる。【００２２】
音声制御部２４は、主制御部２０の制御に基づいて、マイクロフォン１３で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１２から音声として出力する。【００２３】
通信制御部２５は、主制御部２０の制御に基づいて、基地局６からアンテナ２５ａを介して受信した受信信号をスペクトラム逆拡散処理してデータを復元する。このデータは、主制御部２０の指示により、音声制御部２４に伝送されてスピーカ１２から出力されたり、表示制御部２３に伝送されてタッチスクリーン１１に表示されたり、または記憶部２６に記録されたりする。また通信制御部２５は、主制御部２０の制御に基づいて、マイクロフォン１３で集音された音声データや、タッチスクリーン１１または操作キー１４を介して入力されたデータや記憶部２６に記憶されたデータを取得すると、これらのデータに対してスペクトラム拡散処理を行い、基地局６に対してアンテナ２５ａを介して送信する。【００２４】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、主制御部２０が後述するウェブ検索処理を行う際の処理プログラムは、例えばＲＯＭに記憶されているものとする。【００２５】
携帯電話機１は、ネットワーク７を介してコンテンツサーバ２からウェブページのページデータを取得して、このウェブページをタッチスクリーン１１に表示する機能を備えている。また、第１の関心方向性検索サーバ３や第２の関心方向性検索サーバ４などの検索サーバが提供する検索サイトに対して検索要求及び検索語句を送信するとともに、これらの検索サーバから検索結果を受信してタッチスクリーン１１に表示する機能を備えている。【００２６】
図４（Ａ）は、携帯電話機１がウェブページの閲覧画面４０を表示しているときのタッチスクリーン１１の表示画面３０の一例を示す画面図であり、図４（Ｂ）は、携帯電話機１が図４（Ａ）にて表示されている閲覧画面４０に基づいて検索を行った際の検索結果画面４１を表示しているときのタッチスクリーン１１の表示画面３０の一例を示す画面図である。【００２７】
携帯電話機１が、例えば図４（Ａ）に示すように、コンテンツサーバ２からウェブページの情報を取得してタッチスクリーン１１に表示しているとき、表示画面３０には、前ページを表示するための戻るボタン３１、ウェブ検索を行うための検索ボタン３２が表示されている。なお、戻るボタン３１や検索ボタン３２は、タッチスクリーン１１に表示されずに、任意の操作キー１４に紐付けられていても良い。また、表示されたウェブページには、例えば「１ｍのオオウナギが捕獲された！！」というニュース記事が含まれている。このときに、ユーザがこのニュース記事を閲覧しながら、このニュース記事に含まれている語句を用いてウェブ検索を行いたくなる状況が想定される。【００２８】
従来の携帯端末は、ウェブ検索を行う際に、ユーザにより指定された語句（例えば「オオウナギ」）を検索対象の語句（検索語句）としてウェブ検索を行うとともに、この「オオウナギ」に関するデータを含んだウェブページを検索結果として受信して、例えば図４（Ｂ）に示すように、このウェブページを表示する。このとき、ユーザが、閲覧中のウェブページに含まれている「オオウナギ」の語句を用いてウェブ検索を行いたい場合であっても、タッチスクリーン１１に検索用のウェブページを表示させた上で、そのウェブページが有する入力欄にタッチスクリーン１１や操作キー１４を用いて「オオウナギ」の語句を入力する必要があった。これらの一連の作業はユーザにとって大きな負荷となっていた。【００２９】
そこで携帯電話機１は、ウェブページの閲覧中にユーザの簡単な操作でウェブ検索を行えるように、タッチスクリーン１１に表示しているウェブページからユーザが検索する可能性のある語句を裏で抽出して、ユーザの指示があった際に、即座にこれらの語句を用いてウェブ検索を行い、それらの検索結果をユーザに対して提示できるウェブ検索機能を備えている。携帯電話機１がこのウェブ検索処理を行う際の手順について、図５に示すシーケンス図、図６に示す画面遷移図に基づいて説明する。【００３０】
携帯電話機１は、始めに閲覧対象のウェブページのリストをユーザに対して提示して、ユーザに所望のウェブページを選択するように促す。そしてユーザがウェブページを選択すると、主制御部２０は、選択されたウェブページのページデータの送信要求をコンテンツサーバ２に対して送信する。コンテンツサーバ２は、要求されたページデータを携帯電話機１に対して送信する。そして携帯電話機１はコンテンツサーバ２により送信されたページデータを受信する。また主制御部２０は、受信したページデータをタッチスクリーン１１に表示する（Ｓ１０１）。例えば図６（Ａ）に示すように、タッチスクリーン１１の表示画面３０にウェブ閲覧画面４０が表示され、表示されたウェブページには、例えば「１ｍのオオウナギが捕獲された！！」というニュース記事が含まれている。【００３１】
主制御部２０は、ウェブページをタッチスクリーン１１に表示している間、このウェブページのページデータから関心ワードを抽出する（Ｓ１０３）。関心ワードは、ウェブ検索が可能な任意の単語であり、主制御部２０は、例えば形態素解析を行って単語を判別して、各々の単語を抽出するようにすると良い。または、「は」、「が」、「で」、「に」などの格助詞に基づいてその直前の名詞を抽出するようにしても良い。【００３２】
主制御部２０は、関心ワードのリストをタッチスクリーン１１に表示させて、ユーザに対して関心ワードを選択するように促す（Ｓ１０５）。例えば図６（Ｂ）に示すように、ウェブページに含まれているニュース記事である「１ｍのオオウナギが捕獲された！！」から「１ｍ」、「オオウナギ」、「捕獲」などの語句が関心ワードとして抽出され、これらの語句がタッチスクリーン１１の表示画面３０に関心ワードボタン４２として表示される。ユーザは、タッチスクリーン１１上において、所望の関心ワードボタン４２を指で触れることにより、関心ワードを選択する。【００３３】
なお、抽出された関心ワードの表示方法は、関心ワードのみを抽出して関心ワードボタン４２として表示するのみでなく、抽出された関心ワードをウェブページ上においてワードマーカ表示やアンカー表示やハイライト表示で表示させて、ユーザがウェブページ上の語句を触れることにより関心ワードを選択するようにしても良い。【００３４】
関心ワードが選択されると、主制御部２０は、関心方向性のリストをタッチスクリーン１１に表示させて、ユーザに対して関心方向性を選択するように促す（Ｓ１０７）。例えば図６（Ｃ）に示すように、予め設定され記憶部２６に記憶されている関心方向性である「検索」、「動画」、「買い物」、「友達」、「登録語」、「！？」などの語句がタッチスクリーン１１の表示画面３０に関心方向性ボタン４３として表示される。ユーザは、タッチスクリーン１１上において、所望の関心方向性ボタン４３を指で触れることにより、関心方向性を選択する。【００３５】
関心方向性として「検索」が選択された場合、検索語句が含まれている一般的なウェブページや辞書サイトが主な検索対象とされた検索サイトに対して検索要求がされる。関心方向性として「動画」が選択された場合、検索語句が含まれている動画サイトが主な検索対象とされた検索サイトに検索要求がされる。関心方向性として「買い物」が選択された場合、検索語句が含まれているネット販売サイトが主な検索対象とされた検索サイトに検索要求がされる。【００３６】
関心方向性として「友達」が選択された場合、多数のユーザが情報提供し合うためのコミュニティサイトなどに検索要求がされ、検索語句がユーザ名やユーザの愛称などと一致しているユーザページが検索される。関心方向性として「登録語」が選択された場合、検索語句（例えば「オオウナギ」）に対して予め登録されている所定の語句（例えば「レシピ」）が掛け合わされ、これらの全ての語句（「オオウナギ」と「レシピ」）を検索語句として検索サイトに対して検索要求がされる。上記所定の語句は、例えばユーザにより入力されて記憶部２６に記憶されている。関心方向性として「！？」が選択された場合、予め設定された特定のサーバに検索要求がされ、この特定のサーバにおいて、検索語句に関連する時事ネタなどが検索結果として抽出される。【００３７】
なお、関心方向性ボタン４３がウェブページ閲覧時に常に（ウェブページの更新の都度に）表示されていても良く、あるいは、例えばユーザが検索ボタン３２を触れたり所定の操作キー１４を操作したりすることにより表示されるようにしても良い。また、関心方向性の選択が一度された場合、その選択された関心方向性をその後も有効とすることにより、その後のユーザによる関心方向性の選択を省略して、関心方向性ボタン４３を表示させないようにしても良い。【００３８】
主制御部２０は、ステップＳ１０５にて選択された関心ワードについて、ステップＳ１０７にて選択された関心方向性に適応する検索サイトを用いてウェブ検索を行う（Ｓ１０９）。すなわち、主制御部２０は、ステップＳ１０７にて選択された関心方向性に適応する検索サイト（例えば第１の関心方向性検索サーバ３；主に辞書サイトを検索する検索サーバ）に、ステップＳ１０５にて選択された関心ワードを送信して、検索結果の送信要求を送信する。第１の関心方向性検索サーバ３は、受信した関心ワードを用いて検索を行い、その関心ワードが含まれているウェブページを抽出して、そのウェブページのリストを携帯電話機１に送信する。【００３９】
携帯電話機１がウェブページのリストを受信すると、主制御部２０は、このウェブページのリストをタッチスクリーン１１に表示して、ユーザに対して閲覧対象のウェブページの選択を促す（Ｓ１１１）。例えば図６（Ｄ）に示すように、受信したウェブページのリストに含まれる「ＡＡＡＡ」、「ＢＢＢＢ」、「ＣＣＣＣ」、「ＤＤＤＤ」などの各々のウェブページに関するデータがタッチスクリーン１１の表示画面３０にウェブページボタン４４として表示される。ユーザは、タッチスクリーン１１上において、ウェブページボタン４４から所望のウェブページを指で触れることにより、ウェブページを選択する。ウェブページが選択されると、主制御部２０は、このウェブページのページデータをコンテンツサーバ２から受信して、タッチスクリーン１１にこのウェブページを表示する。【００４０】
例えばユーザがステップＳ１０５にて「オオウナギ」を、ステップＳ１０７にて「検索」を、ステップＳ１１１の後に「ＡＡＡＡ」のウェブページを選択した場合には、携帯電話機１は、「ＡＡＡＡ」のウェブページのページデータを取得して、例えば図６（Ｅ）に示すように、タッチスクリーン１１の表示画面３０にこのウェブページを検索結果画面４１として表示する。これにより、携帯電話機１は、タッチスクリーン１１において閲覧対象のウェブページのリストをコンパクトに表示して、ユーザにタッチスクリーン１１の画面を触れさせることで簡単にウェブページを選択させることができる。【００４１】
なお、図６（Ｄ）に示すようにタッチスクリーン１１の表示画面３０に関心方向性ボタン４３及びウェブページボタン４４を表示した状態で、ユーザによりいずれかの関心方向性ボタン４３が選択された場合、携帯電話機１は、その選択された関心方向性に基づいて検索（ステップＳ１０９の処理）を再度行い、ウェブページボタン４４として新たに得られた検索結果を提示すると良い。例えば図６（Ｄ）の状態でユーザにより「動画」の関心方向性ボタン４３が選択された場合、携帯電話機１は動画専門の検索サイトに検索要求して、ウェブページボタン４４として動画サイトを提示する。【００４２】
このようにして携帯電話機１は、ユーザにより選択された関心方向性に対応する検索サーバに対して、ユーザにより選択された関心ワードを検索語句として送信するとともに、この検索サーバから検索結果を受信してタッチスクリーン１１に表示する。ユーザは、自ら選択した検索語句、検索方向性に基づいて得られた検索結果から、所望のウェブページを選択することにより、簡単にウェブ検索を行うことができる。これにより、ユーザが自ら関心ワードを絞り込めるので、ユーザが求めている検索結果が的確に得られる可能性が高いとともに、検索処理に要する時間を短縮することができる。【００４３】
なお、タッチスクリーン１１にウェブページが表示されているときに、常時関心ワードボタン４２または関心方向性ボタン４３が表示されていても良く、または、ユーザのタッチスクリーン１１や操作キー１４を用いた操作に基づいて関心ワードボタン４２または関心方向性ボタン４３が表示されるようにしても良い。常時関心ワードボタン４２または関心方向性ボタン４３が表示されている場合には、ユーザがウェブページに触れたとき（ユーザがこれらのボタンが表示されていない部分に触れたとき）に、これらのボタンを表示しないようにすると良い。その場合には、ユーザのタッチスクリーン１１や操作キー１４を用いた操作に基づいて、再度関心ワードボタン４２または関心方向性ボタン４３が表示されると良い。【００４４】
また、第１実施形態として、関心ワードの選択（ステップＳ１０５の処理）をした後に関心方向性の選択（ステップＳ１０７の処理）を行う場合について説明したが、これに限定されず、関心方向性の選択を行った後に関心ワードの選択を行うようにしても良い。【００４５】
第１実施形態によると、ウェブサイトの閲覧中にユーザがウェブサイト内の語句を用いてウェブ検索を行いたい場合に、簡単な操作でウェブ検索を行うことが可能となる。【００４６】
〔第２実施形態〕
本発明に係る携帯端末の第２実施形態について、添付図面の図７及び図８を参照しながら説明する。以下、第１実施形態と同一の構成には同一の符号を付し、重複する説明を省略する。第２実施形態の携帯電話機１が適用されるネットワークシステム１００は、図１に示すように、第１実施形態と同一の構成を備えている。また、第２実施形態の携帯電話機１は、図２に示すように、第１実施形態と同一の構成を備えている。また第２実施形態の携帯電話機１は、第１実施形態と同様に、図３に示すように、主制御部２０、電源回路部２１、操作入力制御部２２、表示制御部２３、音声制御部２４、通信制御部２５、及び記憶部２６がバスによって相互に通信可能に接続されて構成されている。【００４７】
第１実施形態の携帯電話機１は、ウェブページ閲覧中でのウェブ検索の際に、関心ワード及び関心方向性の双方をユーザにより選択させるものであったが、第２実施形態の携帯電話機１は、関心ワードを選択させずに関心方向性のみを選択させることにより、ウェブ検索におけるユーザの作業を軽減させたものである。【００４８】
第２実施形態の携帯電話機１がこのウェブ検索処理を行う際の手順について、図７に示すシーケンス図、図８に示す画面遷移図に基づいて説明する。【００４９】
携帯電話機１は、始めに閲覧対象のウェブページのリストをユーザに対して提示して、ユーザに所望のウェブページを選択するように促す。そしてユーザがウェブページを選択すると、主制御部２０は、選択されたウェブページのページデータの送信要求をコンテンツサーバ２に対して送信する。コンテンツサーバ２は、要求されたページデータを携帯電話機１に対して送信する。そして携帯電話機１はコンテンツサーバ２により送信されたページデータを受信する。また主制御部２０は、受信したページデータをタッチスクリーン１１に表示する（Ｓ２０１）。例えば図８（Ａ）に示すように、タッチスクリーン１１の表示画面３０にウェブ閲覧画面４０が表示され、表示されたウェブページには、例えば「１ｍのオオウナギが捕獲された！！」というニュース記事が含まれている。【００５０】
主制御部２０は、ステップＳ１０３と同様にして、ウェブページをタッチスクリーン１１に表示している間、このウェブページのページデータから関心ワードを抽出する（Ｓ２０３）。【００５１】
主制御部２０は、ステップＳ１０７と同様にして、関心方向性のリストをタッチスクリーン１１に表示させて、ユーザに対して関心方向性を選択するように促す（Ｓ２０５）。ユーザは、タッチスクリーン１１上において、所望の関心方向性を指で触れることにより関心方向性を選択する。例えば図８（Ｂ）に示すように、予め設定され記憶部２６に記憶されている関心方向性である「検索」、「動画」、「買い物」、「友達」、「登録語」、「！？」などがタッチスクリーン１１の表示画面３０に関心方向性ボタン４３として表示される。ユーザは、タッチスクリーン１１上において、所望の関心方向性ボタン４３を指で触れることにより、関心方向性を選択する。【００５２】
主制御部２０は、ステップＳ２０３にて抽出された各々の関心ワードについて、ステップＳ２０５にて選択された関心方向性に適応する検索サイトを用いて各々ウェブ検索を行う（Ｓ２０７）。すなわち、主制御部２０は、ステップＳ２０５にて選択された関心方向性に適応する検索サイト（例えば第２の関心方向性検索サーバ４；主に動画サイトを検索する検索サーバ）に、ステップＳ２０３にて抽出された全ての関心ワードを送信して、各々の関心ワードに対する検索結果の送信要求を送信する。第２の関心方向性検索サーバ４は、受信した全ての関心ワードを用いて各々検索を行い、その関心ワードが含まれているウェブページを抽出して、そのウェブページのリストを携帯電話機１に送信する。【００５３】
携帯電話機１がウェブページのリストを受信すると、主制御部２０は、このウェブページのリストをタッチスクリーン１１に表示して、ユーザに対して閲覧対象のウェブページの選択を促す（Ｓ２０９）。例えば図８（Ｃ）に示すように、受信したウェブページのリストに含まれる「ＡＡＡＡ」、「ＢＢＢＢ」などの各々のウェブページに関するデータ、及び、そのウェブページの検索に用いた「１ｍ」、「オオウナギ」などの関心ワードがタッチスクリーン１１の表示画面３０にウェブページボタン４５として表示される。ユーザは、タッチスクリーン１１上において、ウェブページボタン４５から所望のウェブページを指で触れることにより、ウェブページを選択する。ウェブページが選択されると、主制御部２０は、このウェブページのページデータをコンテンツサーバ２から受信して、タッチスクリーン１１にこのウェブページを表示する。【００５４】
例えばステップＳ２０３にて「１ｍ」や「オオウナギ」の語句が関心ワードとして抽出されるとともに、ユーザがステップＳ２０５にて「動画」を、またステップＳ２０９の後に「ＢＢＢＢ」のウェブページを選択した場合には、携帯電話機１は、「ＢＢＢＢ」のウェブページのページデータを取得して、例えば図８（Ｄ）に示すように、タッチスクリーン１１の表示画面３０にこのウェブページを検索結果画面４６として表示する。これにより、携帯電話機１は、タッチスクリーン１１において閲覧対象のウェブページのリストをコンパクトに表示して、ユーザにタッチスクリーン１１の画面を触れることで簡単にウェブページを選択させることができる。【００５５】
このようにして携帯電話機１は、ユーザにより選択された関心方向性に対応する検索サーバに対して、ウェブページから抽出された関心ワードを検索語句として送信するとともに、この検索サーバから検索結果を受信してタッチスクリーン１１に表示する。ユーザは、自ら選択した関心方向性に基づいて得られた検索結果から、所望のウェブサイトを選択することにより、簡単にウェブ検索を行うことができる。ユーザのウェブページの閲覧中に携帯電話機１が検索語句を抽出することにより、ユーザは少ない操作回数でウェブ検索を行うことができる。【００５６】
第２実施形態によると、ウェブサイトの閲覧中にユーザがウェブサイト内の語句を用いてウェブ検索を行いたい場合に、簡単な操作でウェブ検索を行うことが可能となる。【００５７】
〔第３実施形態〕
本発明に係る携帯端末の第３実施形態について、添付図面の図９及び図１０を参照しながら説明する。以下、第１実施形態及び第２実施形態と同一の構成には同一の符号を付し、重複する説明を省略する。第３実施形態の携帯電話機１が適用されるネットワークシステム１００は、図１に示すように、第１実施形態及び第２実施形態と同一の構成を備えている。また、第３実施形態の携帯電話機１は、図２に示すように、第１実施形態及び第２実施形態と同一の構成を備えている。また第３実施形態の携帯電話機１は、第１実施形態及び第２実施形態と同様に、図３に示すように、主制御部２０、電源回路部２１、操作入力制御部２２、表示制御部２３、音声制御部２４、通信制御部２５、及び記憶部２６がバスによって相互に通信可能に接続されて構成されている。【００５８】
第１実施形態及び第２実施形態の携帯電話機１は、第１の関心方向性検索サイト３や第２の関心方向性検索サイト４などの検索サイトに対して直接検索を要求するものであったが、第３実施形態の携帯電話機１は、関心ワード拡張＆問合せサーバ５に検索を要求し、関心ワード拡張＆問合せサーバ５が関心ワードを拡張させるなどした後に、検索サーバに検索を要求する。関心ワード拡張＆問合せサーバ５が検索サーバに検索を要求することで、ウェブ検索にかかる処理時間を短縮させたり検索性能を向上させたりする効果が期待できる。【００５９】
第２実施形態の携帯電話機１がこのウェブ検索処理を行う際の手順について、図９に示すシーケンス図、図１０に示す画面遷移図に基づいて説明する。【００６０】
携帯電話機１は、始めに閲覧対象のウェブページのリストをユーザに対して提示して、ユーザに所望のウェブページを選択するように促す。そしてユーザがウェブページを選択すると、主制御部２０は、選択されたウェブページのページデータの送信要求をコンテンツサーバ２に対して送信する。コンテンツサーバ２は、要求されたページデータを携帯電話機１に対して送信する。そして携帯電話機１はコンテンツサーバ２により送信されたページデータを受信する。また主制御部２０は、受信したページデータをタッチスクリーン１１に表示する（Ｓ３０１）。例えば図１０（Ａ）に示すように、タッチスクリーン１１の表示画面３０にウェブ閲覧画面４０が表示され、表示されたウェブページには、例えば「１ｍのオオウナギが捕獲された！！」というニュース記事が含まれている。【００６１】
主制御部２０は、ステップＳ１０３と同様にして、ウェブページをタッチスクリーン１１に表示している間、このウェブページのページデータから関心ワードを抽出する（Ｓ３０３）。【００６２】
主制御部２０は、ステップＳ１０７と同様にして、関心方向性のリストをタッチスクリーン１１に表示させて、ユーザに対して関心方向性を選択するように促す（Ｓ３０５）。ユーザは、タッチスクリーン１１上において、所望の関心方向性を指で触れることにより関心方向性を選択する。例えば図１０（Ｂ）に示すように、予め設定され記憶部２６に記憶されている関心方向性である「検索」、「動画」、「買い物」、「友達」、「登録語」、「！？」などの語句がタッチスクリーン１１の表示画面３０に関心方向性ボタン４３として表示される。ユーザは、タッチスクリーン１１上において、所望の関心方向性ボタン４３を指で触れることにより、関心方向性を選択する。【００６３】
主制御部２０は、ステップＳ３０３にて抽出された関心ワードについて、ステップＳ３０５にて選択された関心方向性に適応する検索サイトを用いてウェブ検索を行うように、関心ワード拡張＆問合せサーバ５に依頼する（Ｓ３０７）。このとき携帯電話機１は、関心ワード拡張＆問合せサーバ５に抽出された関心ワードや選択された関心方向性を示すデータを送信する。【００６４】
関心ワード拡張＆問合せサーバ５は、ステップＳ３０７にて受信した各々の関心ワードを必要に応じて拡張して、ステップＳ３０７にて受信した関心方向性に適応する検索サイト（例えば第１の関心方向性検索サーバ３；主に買い物サイトを検索する検索サーバ）に、受信した（あるいは拡張された）関心ワードを送信して、各々の関心ワードに対する検索結果の送信要求を送信する（Ｓ３０９）。関心ワード拡張＆問合せサーバ５は、関心ワードを拡張する際、例えば、ユーザの過去利用履歴やプロフィール情報、そのときに社会情勢などを考慮して他の関心ワードを付加したり関心方向性を絞り込んだりする。【００６５】
第１の関心方向性検索サーバ３は、受信した全ての関心ワードを用いて各々検索を行い、その関心ワードが含まれているウェブページを抽出して、そのウェブページのリストを関心ワード拡張＆問合せサーバ５に送信する。ウェブページのリストを受信した関心ワード拡張＆問合せサーバ５は、そのウェブページのリストを携帯電話機１に転送する。【００６６】
携帯電話機１が関心ワード拡張＆問合せサーバ５からウェブページのリストを受信すると、主制御部２０は、このウェブページのリストをタッチスクリーン１１に表示して、ユーザに対して閲覧対象のウェブページの選択を促す（Ｓ３１１）。例えば図１０（Ｃ）に示すように、受信したウェブページのリストに含まれる「ＡＡＡＡ」、「ＢＢＢＢ」、「ＣＣＣＣ」、「ＤＤＤＤ」などの各々のウェブページに関するデータ、及び、そのウェブページの検索に用いた「１ｍ」、「オオウナギ」、「捕獲」などの関心ワードがタッチスクリーン１１の表示画面３０にウェブページボタン４７として表示される。ユーザは、タッチスクリーン１１上において、ウェブページボタン４７から所望のウェブページを指で触れることにより、ウェブページを選択する。ウェブページが選択されると、主制御部２０は、このウェブページのページデータをコンテンツサーバ２から受信して、タッチスクリーン１１にこのウェブページを表示する。【００６７】
例えばステップＳ３０３にて「１ｍ」や「オオウナギ」や「捕獲」の語句が関心ワードとして抽出されるとともに、ユーザがステップＳ３０７にて「買い物」を、ステップＳ３１１の後に「ＢＢＢＢ」のウェブページを選択した場合には、携帯電話機１は、「ＢＢＢＢ」のウェブページのページデータを取得して、例えば図１０（Ｄ）に示すように、タッチスクリーン１１の表示画面３０にこのウェブページを検索結果画面４８として表示する。これにより、携帯電話機１は、タッチスクリーン１１において閲覧対象のウェブページのリストをコンパクトに表示して、ユーザにタッチスクリーン１１の画面を触れることで簡単にウェブページを選択させることができる。【００６８】
このように携帯電話機１は、ユーザにより選択された関心方向性に対応する検索サーバに対して、ウェブページから抽出された関心ワードを検索語句として送信する際に、これらの検索語句を拡張したり関心方向性を絞り込んだりするとともに、この検索サーバから検索結果を受信してタッチスクリーン１１に表示する。ユーザは、自ら選択した関心方向性に基づいて得られた検索結果から、所望のウェブサイトを選択することにより、簡単にウェブ検索を行うことができる。また、検索語句を拡張したり関心方向性を絞り込んだりすることにより、過去のユーザの使用状態やユーザの嗜好、そのときの社会情勢が反映されたウェブ検索が行えるとともに、ウェブ検索に要する時間を短縮することができる。【００６９】
第３実施形態によると、ウェブサイトの閲覧中にユーザがウェブサイト内の語句を用いてウェブ検索を行いたい場合に、簡単な操作でウェブ検索を行うことが可能となる。【００７０】
〔第４実施形態〕
本発明に係る携帯端末の第４実施形態について、添付図面の図１１及び図１２を参照しながら説明する。以下、第１実施形態乃至第３実施形態と同一の構成には同一の符号を付し、重複する説明を省略する。第４実施形態の携帯電話機１が適用されるネットワークシステム１００は、図１に示すように、第１実施形態乃至第３実施形態と同一の構成を備えている。また、第４実施形態の携帯電話機１は、図２に示すように、第１実施形態乃至第３実施形態と同一の構成を備えている。また第４実施形態の携帯電話機１は、第１実施形態乃至第３実施形態と同様に、図３に示すように、主制御部２０、電源回路部２１、操作入力制御部２２、表示制御部２３、音声制御部２４、通信制御部２５、及び記憶部２６がバスによって相互に通信可能に接続されて構成されている。【００７１】
第１実施形態乃至第３実施形態の携帯電話機１は、ウェブ検索の際にユーザに関心方向性を選択させるものであったが、第４実施形態の携帯電話機１は、ユーザによる関心方向性の選択を省略して、全ての関心方向性、または所定の条件で絞り込まれた関心方向性、あるいは予め設定された関心方向性を用いてウェブ検索を行うことにより、ユーザの作業を軽減したものである。【００７２】
第４実施形態の携帯電話機１がこのウェブ検索処理を行う際の手順について、図１１に示すシーケンス図、図１２に示す画面遷移図に基づいて説明する。【００７３】
携帯電話機１は、始めに閲覧対象のウェブページのリストをユーザに対して提示して、ユーザに所望のウェブページを選択するように促す。そしてユーザがウェブページを選択すると、主制御部２０は、選択されたウェブページのページデータの送信要求をコンテンツサーバ２に対して送信する。コンテンツサーバ２は、要求されたページデータを携帯電話機１に対して送信する。そして携帯電話機１はコンテンツサーバ２により送信されたページデータを受信する。また主制御部２０は、受信したページデータをタッチスクリーン１１に表示する（Ｓ４０１）。例えば図１２（Ａ）に示すように、タッチスクリーン１１の表示画面３０にウェブ閲覧画面４０が表示され、表示されたウェブページには、例えば「１ｍのオオウナギが捕獲された！！」というニュース記事が含まれている。【００７４】
主制御部２０は、ステップＳ１０３と同様にして、ウェブページをタッチスクリーン１１に表示している間、このウェブページのページデータから関心ワードを抽出する（Ｓ４０３）。【００７５】
主制御部２０は、ステップＳ４０３にて抽出された各々の関心ワードについて、予め設定されている関心方向性に適応する検索サイトを用いて各々ウェブ検索を行うように、関心ワード拡張＆問合せサーバ５に依頼する（Ｓ４０５）。このとき携帯電話機１は、関心ワード拡張＆問合せサーバ５に関心ワードや関心方向性を示すデータを送信する。【００７６】
関心ワード拡張＆問合せサーバ５は、ステップＳ４０５にて受信した各々の関心ワードを必要に応じて拡張して、各々の関心方向性に適応する複数の検索サイト（例えば第１の関心方向性検索サーバ３や第２の関心方向性検索サーバ４など）に、受信した（あるいは拡張された）関心ワードを送信して、各々の関心ワードに対する検索結果の送信要求を送信する（Ｓ４０７）。関心ワード拡張＆問合せサーバ５は、関心ワードを拡張する際、例えば、ユーザの過去利用履歴やプロフィール情報を利用して他の関心ワードを付加したり関心方向性を絞り込んだりする。【００７７】
第１の関心方向性検索サーバ３や第２の関心方向性検索サーバ４などの複数の検索サーバは、受信した全ての関心ワードを用いて各々検索を行い、その関心ワードが含まれているウェブページを抽出して、そのウェブページのリストを関心ワード拡張＆問合せサーバ５に送信する。ウェブページのリストを受信した関心ワード拡張＆問合せサーバ５は、そのウェブページのリストを携帯電話機１に転送する。【００７８】
携帯電話機１が関心ワード拡張＆問合せサーバ５からウェブページのリストを受信すると、主制御部２０は、このウェブページのリストをタッチスクリーン１１に表示して、ユーザに対して閲覧対象のウェブページの選択を促す（Ｓ４０９）。例えば図１２（Ｂ）に示すように、受信したウェブページのリストに含まれる「ＡＡＡＡ」、「ＢＢＢＢ」、「ＣＣＣＣ」、「ＤＤＤＤ」などの各々のウェブページに関するデータ、及び、そのウェブページの検索に用いた「１ｍ」、「オオウナギ」、「捕獲」などの関心ワードがタッチスクリーン１１の表示画面３０にウェブページボタン４９として表示される。ユーザは、タッチスクリーン１１上において、ウェブページボタン４９から所望のウェブページを指で触れることにより、ウェブページを選択する。ウェブページが選択されると、主制御部２０は、このウェブページのページデータをコンテンツサーバ２から受信して、タッチスクリーン１１にこのウェブページを表示する。【００７９】
例えばステップＳ４０３にて「１ｍ」や「オオウナギ」や「捕獲」の語句が関心ワードとして抽出されるとともに、ユーザがステップＳ４０９の後に「ＢＢＢＢ」のウェブページを選択した場合には、携帯電話機１は、「ＢＢＢＢ」のウェブページのページデータを取得して、例えば図１２（Ｃ）に示すように、タッチスクリーン１１の表示画面３０にこのウェブページを検索結果画面５０として表示する。これにより、携帯電話機１は、タッチスクリーン１１において閲覧対象のウェブページのリストをコンパクトに表示して、ユーザにタッチスクリーン１１の画面を触れることで簡単にウェブページを選択させることができる。【００８０】
このようにして携帯電話機１は、複数の検索サーバに対してウェブページから抽出された関心ワードを検索語句として送信するとともに、この検索サーバから各々の関心ワードに対する検索結果を受信してタッチスクリーン１１に表示する。ユーザは、検索結果から所望のウェブサイトを選択することにより、簡単にウェブ検索を行うことができる。また、検索語句を拡張したり関心方向性を絞り込んだりすることにより、過去のユーザの使用状態やユーザの嗜好、そのときの社会情勢が反映されたウェブ検索が行えるとともに、ウェブ検索に要する時間を短縮することができる。また、ユーザのウェブページの閲覧中に携帯電話機１が検索語句を抽出することにより、ユーザは少ない操作回数でウェブ検索を行うことができる。【００８１】
なお、携帯電話機１において予めウェブ検索の際の関心方向性が設定されていて、記憶部２６に記憶されていて、この関心方向性を用いてウェブ検索を行っても良い。この関心方向性は、例えばユーザにより操作キー１４を用いて設定されたり前回のウェブ検索にて設定されたりしたものが、記憶部２６に記憶されていると良い。この場合には、ステップＳ４０５にて予め設定された関心方向性を示すデータを関心ワード拡張＆問合せサーバ５に送信して、ステップＳ４０７にて、ステップＳ４０５にて受信した関心方向性に適応する検索サイト（例えば第１の関心方向性検索サーバ３）に、受信した（あるいは拡張された）関心ワードを送信して、検索結果の送信要求を送信する。【００８２】
第４実施形態によると、ウェブサイトの閲覧中にユーザがウェブサイト内の語句を用いてウェブ検索を行いたい場合に、簡単な操作でウェブ検索を行うことが可能となる。【００８３】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ＭＩＤ（Ｍｏｂｉｌｅ  Ｉｎｔｅｒｎｅｔ  Ｄｅｖｉｃｅ）、携帯音楽プレイヤー、携帯ビデオカメラ、携帯ゲーム機等、ネットワークを介した検索手段を備えている通信端末であれば、任意の通信端末であっても良い。
【図１】
2010134363.tif 000003
【図２】
2010134363.tif 000004
【図３】
2010134363.tif 000005
【図４】
2010134363.tif 000006
【図５】
2010134363.tif 000007
【図６】
2010134363.tif 000008
【図７】
2010134363.tif 000009
【図８】
2010134363.tif 000010
【図９】
2010134363.tif 000011
【図１０】
2010134363.tif 000012
【図１１】
2010134363.tif 000013
【図１２】
2010134363.tif 000014
【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
閲覧中のウェブページのデータに含まれる語句を抽出する抽出手段と、
前記抽出手段により抽出された語句を検索語句として検索サイトに対して検索要求を送信するとともに、この検索サイトから前記検索語句が含まれるウェブページのリストを検索結果として受信する受信手段と、
前記受信手段により受信された検索結果を表示する表示手段と、
を備えたことを特徴とする携帯端末。
【請求項２】
複数の検索サイトからいずれかを選択するための入力を受け付ける受付手段を備え、
前記受信手段は、前記受付手段により受け付けられた検索サイトに対して検索要求を送信することを特徴とする請求項１記載の携帯端末。
【請求項３】
前記抽出手段により抽出された語句からいずれかを選択するための入力を受け付ける受付手段を備え、
前記受信手段は、前記受付手段により受け付けられた語句を検索語句として検索サイトに対して検索要求を送信することを特徴とする請求項１記載の携帯端末。
【請求項４】
前記表示手段により表示された検索結果から、いずれかのウェブページを選択するための入力を受け付ける受付手段を備え、
前記表示手段は、前記受付手段により入力が受け付けられた場合、選択されたウェブページに関するデータを取得して表示することを特徴とする請求項１に記載の携帯端末。
【請求項５】
いずれかの検索サイトを設定する設定手段を備え、
前記受信手段は、前記設定手段により設定された検索サイトに対して検索要求を送信することを特徴とする請求項１記載の携帯端末。
【国際調査報告】
2010134363.tif 000015
2010134363.tif 000016